(57)【要約】  水銀の酸化を促進させ、それによって下流の汚染制御装置における水銀の全体的な除去を促進するために、臭素含有化合物を石炭又はボイラ燃焼炉に添加して使用する。本方法は噴霧乾燥吸収装置（ＳＤＡ）ＦＧＤシステムを備えた発電所の他、湿式ＦＧＤシステムを備えた発電所にも適用可能である。
2007530256.tif 000002
【特許請求の範囲】
【請求項１】
化石燃料の燃焼中に生成した煙道ガス中の元素状水銀の一部を除去する方法であって、
前記煙道ガスに臭素含有試薬を供給すること；
該臭素含有試薬で元素状水銀の酸化を促進すること；
元素状水銀から酸化形態の水銀を生成させること；及び
煙道ガスから該酸化水銀を除去すること；
を含む方法。
【請求項２】
化石燃料は石炭である請求項１に記載の方法。
【請求項３】
臭素含有試薬を供給する工程は、燃焼に先立って化石燃料を臭素含有試薬で処理する工程を含む請求項１に記載の方法。
【請求項４】
煙道ガスを臭素含有試薬で処理する工程を含む請求項１に記載の方法。
【請求項５】
臭素含有試薬は水溶液の形態で供給される請求項１に記載の方法。
【請求項６】
臭素含有試薬は固体状で供給される請求項１に記載の方法。
【請求項７】
臭素含有試薬は気体状で供給される請求項１に記載の方法。
【請求項８】
化石燃料の粉末化工程を更に含む請求項３に記載の方法。
【請求項９】
粉末化工程は前記処理工程後に行われる請求項８に記載の方法。
【請求項１０】
臭素含有試薬からの最大で約１０００ｐｐｍの臭素で石炭が処理される請求項２に記載の方法。
【請求項１１】
石炭が臭素含有試薬からの約１００〜約２００ｐｐｍの臭素で処理される請求項１０に記載の方法。
【請求項１２】
煙道ガス中の元素状水銀の実質的部分が酸化される請求項１に記載の方法。
【請求項１３】
煙道ガスから酸化水銀の実質的部分を除去するために煙道ガス湿式脱硫装置を使用する工程を更に含む請求項１に記載の方法。
【請求項１４】
煙道ガスから酸化水銀の実質的部分を除去するために煙道ガス噴霧乾燥脱硫装置を使用する工程を更に含む請求項１に記載の方法。
【請求項１５】
煙道ガスから酸化水銀の実質的部分を除去するために収着剤注入システムを使用する工程を更に含む請求項１に記載の方法。
【請求項１６】
収着剤は粉末状活性炭を含む請求項１５に記載の方法。
【発明の詳細な説明】
【本発明の分野及び背景】
【０００１】
米国環境保護局（ＥＰＡ）によって制定され、１９９０年の大気浄化法改正で明らかにされた排出基準は、発電所からの有害な大気汚染物質の評価を要求するものであった。２０００年１２月には、ＥＰＡは石炭火力ボイラからの水銀排出を規制する意向を発表した。石炭火力ボイラは米国において人間に起因する水銀排出の主要な出所であることが知られている。元素状水銀及び多数の水銀化合物は揮発性であり、それ故、ボイラ煙道ガス中の微量成分としてボイラから出て行くことになる。これら水銀成分の中には水に不溶性のものがあり、従来型の湿式及び乾式スクラバーでこれらを捕獲することが困難となる。そのため、ボイラ煙道ガスからこれら微量成分を捕獲するための新規方法及びプロセスが必要である。
【０００２】
水銀は、固相及び気相（それぞれ粒子状水銀及びガス状水銀）の両方の状態で石炭燃焼煙道ガス中に現れる。いわゆる粒子状水銀は実際には灰又は炭素粒子の表面上に吸着したガス状水銀である。水銀及び多数の水銀化合物の高い揮発性のために、煙道ガス中に見つかる水銀の大部分はガス状水銀である。ガス状水銀は元素状水銀（元素状、金属状水銀蒸気）として、又は酸化水銀（種々の水銀化合物のガス状種）として出現し得る。種形（存在する水銀の形態を指す）は水銀の制御戦略を開発及び設計するに当たって鍵となるパラメータである。発電所からの水銀排出に関する新規な制御戦略を考案するためのすべての努力は水銀の斯かる性質に焦点を当てなければならない。
【０００３】
発電所で使用されている集塵機は、最も一般的には静電集塵機（ＥＳＰ）又は繊維フィルター（ＦＦ）（バッグハウスとも呼ばれる）であるが、粒子状水銀を高率で除去する。繊維フィルターは、煙道ガスが通過するときに粒子状水銀を捕捉するフィルターケーキを備えることによって、ＥＳＰよりも粒子状水銀の優れた除去を示す傾向にある。また、フィルターケーキが未反応炭素や更には活性炭といった水銀と反応する成分を含有するときは、フィルターケーキはガス状水銀と固体炭素粒子との気固反応を促進する場として作用することができる。発電所が煙道ガス脱硫システム（ＦＧＤ）を備えているときは、湿式スクラバー又は噴霧乾燥吸収装置（ＳＤＡ）が多量の酸化水銀を除去することができる。酸化水銀は、典型的には塩化水銀の形態で現れ、水溶性であり、二酸化硫黄のスクラバーで除去することができる。元素状水銀は、水に不溶であり、従来型スクラバーでは洗い落とされ難い。そのため、元素状水銀の除去は費用対効果の優れた水銀制御技術を探索する際の重要な問題として残っている。
【０００４】
元素状水銀を制御する費用対効果のある方法を開発するために多数の研究がなされ、そして継続されている。ガス状水銀を吸着するために、多くの研究が集塵機上流の煙道ガスへ炭素質収着剤（例：粉末状活性炭又はＰＡＣ）を注入することに焦点を当ててきた。その後、収着剤とそれに吸着された水銀は下流の集塵機内で煙道ガスから除去される。吸着は、望ましくない微量成分を上手く分離及び除去するのによく利用されてきた技術である。ＰＡＣ注入は一般廃棄物の焼却炉排ガスから水銀を除去するのに商業的に使用される。ＰＡＣ注入は酸化水銀と元素状水銀種の両方を除去するが、除去効率は酸化水銀に対しての方が高い。該方法は初期の頃は魅力的に見えたが、石炭火力施設に応用するときは注入速度が高くなって経済性が悪化し得る。ＰＡＣで何が達成でき、何が達成できないのかをより正確に見極めるべく、より詳細な研究が現在行われている。他の研究ではＰＡＣ技術の向上を追求している。ある技術では、ＰＡＣに対してヨウ素又は硫黄のような元素を炭素質収着剤中に組み込む含浸プロセスを施す。該方法は、水銀種とより強固に結合する収着剤を産することができるが、収着剤の費用が著しく高い。
【０００５】
ガス状水銀の種形は石炭の種類に依存する。東アメリカの歴青炭は西の亜瀝青炭及び亜炭よりも高い比率で酸化水銀を生じる。西の石炭は典型的な東の瀝青炭に比べて塩化物の含量が少ない。石炭の塩化物含量と酸化形態の水銀が現れる度合との間に緩やかな経験的関係があるとここ数年間理解されてきた。図１（出典：Senior, C.L. Behavior of Mercury in Air Pollution Control Devices on Coal- Fired Utility Boilers, 2001）は石炭の塩化物含量とガス状水銀の種形との関係を示す。図１のデータが大きく散乱している重要な理由の一つは水銀の酸化が燃料と共にボイラの具体的な特性に部分的に依存ということである。水銀の酸化反応は均一及び不均一の両方の反応機構によって進行する。ボイラ対流パス及び燃焼空気予熱器の温度プロファイル、煙道ガスの組成、フライアッシュの性質及び組成、未燃炭素の存在といった要因のすべてが元素状水銀の酸化水銀種への転換率に影響することが示されている。
【０００６】
Ｆｅｌｓｖａｎｇ等（米国特許第５，４３５，９８０号）は、ＳＤＡシステムを採用する石炭燃焼システムの水銀除去は煙道ガス中の塩素含有種（例：塩化水素）を増加することによって向上することを教示する。Ｆｅｌｓｖａｎｇ等は、これはボイラの燃焼ゾーンへ塩素含有剤を添加することによって、又はＳＤＡ上流の煙道ガス中に塩酸（ＨＣｌ）蒸気を注入することによって達成することができることを更に教示する。これらの技術は、ＳＤＡシステムと組み合わせて使用されるときにＰＡＣの水銀除去性能を改善するとされている。
【特許文献１】米国特許第５，４３５，９８０号明細書
【発明の開示】
【発明の概要】
【０００７】
本発明の一目的は、技術的及び商業的に先行技術よりも顕著な優位性を生み出すことである。本発明者は、水銀の酸化を促進させ、それによって下流の汚染制御装置における水銀の全体的な除去を促進するに当たり、臭素含有化合物を石炭又はボイラ燃焼炉に添加して使用することが、塩素含有化合物よりも著しく効果的であることを実験的テストにより見いだした。第二に、本技術はＳＤＡシステムを備えた発電所の他、湿式ＦＧＤシステムを備えた発電所にも適用可能である。湿式ＦＧＤは世界中の大部分の石炭火力施設が選択する二酸化硫黄除去システムである。米国の約２５％の石炭火力発電所が湿式ＦＧＤシステムを備えている。
【０００８】
（１）  化石燃料の燃焼中に生成した煙道ガス中の元素状水銀の一部を除去する方法であって、
前記煙道ガスに臭素含有試薬を供給すること；
該臭素含有試薬で元素状水銀の酸化を促進すること；
元素状水銀から酸化形態の水銀を生成させること；及び
煙道ガスから該酸化水銀を除去すること；
を含む方法。
（２）  化石燃料は石炭である（１）に記載の方法。
（３）  臭素含有試薬を供給する工程は、燃焼に先立って化石燃料を臭素含有試薬で処理する工程を含む（１）に記載の方法。
（４）  煙道ガスを臭素含有試薬で処理する工程を含む（１）に記載の方法。
（５）  臭素含有試薬は水溶液の形態で供給される（１）に記載の方法。
（６）  臭素含有試薬は固体状で供給される（１）に記載の方法。
（７）  臭素含有試薬は気体状で供給される（１）に記載の方法。
（８）  化石燃料の粉末化工程を更に含む（３）に記載の方法。
（９）  粉末化工程は前記処理工程後に行われる（８）に記載の方法。
（１０）  臭素含有試薬からの最大で約１０００ｐｐｍの臭素で石炭が処理される（２）に記載の方法。
（１１）  石炭が臭素含有試薬からの約１００〜約２００ｐｐｍの臭素で処理される（１０）に記載の方法。
（１２）  煙道ガス中の元素状水銀の実質的部分が酸化される（１）に記載の方法。
（１３）  煙道ガスから酸化水銀の実質的部分を除去するために煙道ガス湿式脱硫装置を使用する工程を更に含む（１）に記載の方法。
（１４）  煙道ガスから酸化水銀の実質的部分を除去するために煙道ガス噴霧乾燥脱硫装置を使用する工程を更に含む（１）に記載の方法。
（１５）  煙道ガスから酸化水銀の実質的部分を除去するために収着剤注入システムを使用する工程を更に含む（１）に記載の方法。
（１６）  収着剤は粉末状活性炭を含む（１５）に記載の方法。
【０００９】
本発明を特徴づける種々の新規な特徴は添付の特許請求の範囲に詳細に示しており、それは本開示の一部を形成する。本発明、その稼働上の利点及びその使用によって得られる特有の利益をより良く理解するために、本発明の好ましい実施形態を示した付属図面及び記載事項を参照されたい。
【００１０】
発明の好ましい実施形態の詳細な説明
図面全般を参照すると、同様の数字は数枚ある図面を通して同一又は機能的に類似の要素を表す。本発明の第一の実施形態を図２に示す。臭素含有試薬１０がボイラ１２の燃焼炉１４に、直接的に又は供給される石炭１６と予備混合することによって添加される。燃焼プロセス中に放出される臭素種は、燃焼ガスが炉１４を通過するとき、とりわけ、ボイラの対流パス１８の冷却器部分及び燃焼空気予加熱器２０を通過するときに、水銀の酸化を促進する。酸化された形態で生じる水銀部分の増加は、湿式２２及びＳＤＡ２４のＦＧＤシステム並びにＰＡＣ注入システムのような下流の汚染制御システムでの水銀除去を促進させる。本明細書にて記載するように、実験結果によれば、臭素添加は粒子状水銀の部分を増加させる結果にもなることが示されている。これは繊維フィルター（ＦＦ）及び静電集塵機（ＥＳＰ）のような集塵機２６による水銀除去を促進させる。
【００１１】
従来型のＰＡＣ注入法によって、発電所で生成する石炭燃焼ガスから元素状水銀を除去するのは非常に高価である。本発明は二つの方法で石炭火力発電所での水銀除去費用を有意に低減することができる。第一に、酸化形態及び粒子形態で生じる水銀部分を増加させることにより、集塵機２６並びに湿式２２及びＳＤＡ２４のＦＧＤシステムのような従来型の汚染制御システムでの水銀除去を促進させる。これにより、元素状水銀を除去するためのＰＡＣ注入の必要性が減少し又は完全になくなり得る。第二に、酸化水銀の部分が増加すると、ＰＡＣと酸化水銀の反応性は高いため、ＰＡＣ注入法による水銀除去も促進される。
【００１２】
本発明について、５百万Ｂｔｕ／ｈｒの小型ボイラシミュレータ施設（Ｓｍａｌｌ  Ｂｏｉｌｅｒ  Ｓｉｍｕｌａｔｏｒ  Ｆａｃｉｌｉｔｙ：ＳＢＳ）内で試験を行った。ＳＢＳは西アメリカの亜瀝青炭を用いて約４．３百万Ｂｔｕ／ｈｒで燃焼を行った。試験中、ＳＢＳボイラから出る煙道ガスは二酸化硫黄を除去するためにまず噴霧乾燥吸収装置（ＳＤＡ）を通過し、次いでＳＤＡ ＦＧＤシステムからのフライアッシュ及び使用済みの収着剤を除去するための繊維フィルター（ＦＦ）を通過した。
【００１３】
臭化カルシウム（ＣａＢｒ2）の水溶液を、石炭バーナー（図示せず）を通して燃焼室１４へと注入した。図３はＳＤＡ／ＦＦシステムによる水銀除去を示している。臭化カルシウムを注入すると、システムを出て行くガス状水銀は初期値の約６μｇ／ｄｓｃｍから約２μｇ／ｄｓｃｍへと降下することが分かる。システム入口におけるガス状水銀も臭化カルシウムを添加すると降下することが分かる。これは臭化カルシウムが粒子状水銀の生成も促進させるという事実による（使用したオンライン水銀分析装置がガス状水銀種のみを検出するため、粒子状水銀はチャート上に現れない。）。上記結果によれば、本発明が石炭燃焼煙道ガスから元素状水銀を除去する費用対効果のある方法を提供できることは明らかである。
【００１４】
好ましい実施形態においては、石炭１６が燃焼のために粉末化される前に、臭化カルシウムの水溶液が粉砕された石炭１６に噴霧される。該水溶液は取り扱いが容易であり、石炭１６へ計量供給される。石炭微粉砕機２８は臭化物試薬と石炭１６を均質に混合する。複数ある石炭バーナー（図示せず）への粉末石炭運搬システム３０によってボイラ炉１４中の試薬１０の均一分散を確保する。当業者にとって明らかであろう本発明を実施するための多数の代替的方法がある。実施試験に基づくと、臭素含有試薬１０からの最大で約１０００ｐｐｍの臭素で；とりわけ臭素含有試薬１０からの約１００〜約２００ｐｐｍの臭素で石炭１６が処理されるときに充分な水銀除去が達成可能である。当業者には理解されるであろうが、本発明の原理を適用するためには非ゼロ（non-zero）のある量の臭素が供給されなければならず、その範囲の上限は、実際上の問題として、生じる虞のある腐食可能性の増加によって制限される。
【００１５】
別の実施形態においては、石炭火力ボイラ燃料１６は瀝青炭、亜瀝青炭及び亜炭並びにこれらの混合物を含むことができる。
【００１６】
更に別の実施形態においては、臭素含有試薬１０は、限定的ではないが、アルカリ金属及びアルカリ土類金属の臭素化物、臭化水素（ＨＢｒ）又は臭素（Ｂｒ2）を含むことができる。
【００１７】
更に別の実施形態においては、臭素含有試薬１０は気体状、液状又は固体状でボイラ燃焼領域１４に供給することができる。
【００１８】
更に別の実施形態においては、発電所の構成機器としてはＳＤＡ２４及び集塵機２６（ＦＦ又はＥＳＰ）（図４）、集塵機２６（ＦＦ又はＥＳＰ）（図５）、或いは湿式２２ＦＧＤ及び集塵機２６（ＦＦ又はＥＳＰ）（図６）を備えたものを挙げることができる。
【００１９】
更に別の実施形態においては、本発明は、酸化窒素を制御するための選択的触媒還元（ＳＣＲ）システム３２を備えた石炭火力施設の中で利用されることができる。適当な種（この場合は臭素種）が煙道ガス中に存在するときは、ＳＣＲ触媒は元素状水銀の酸化を促進することが分かったからである。
【００２０】
更に別の実施形態においては、本発明と収着剤注入システムを組み合わせて利用することによって水銀除去を更に促進することができる。そのような炭素質収着剤には、限定的ではないが、粉末活性炭（ＰＡＣ）、石炭及び他の有機物から生成した炭素及び木炭、そして、燃焼プロセス自体によって生成した未燃炭素が挙げられる
【００２１】
本発明の原理の応用を説明するために、本発明の特定の実施形態を詳細に記載してきたが、当業者であれば上記原理から逸脱することなく特許請求の範囲によって包含される発明の形態に変形を加えることができるだろう。例えば、本発明は発生する煙道ガスからの水銀除去が要請される新規化石燃料ボイラ構造に、又は既存の化石燃料ボイラ設備の交換、修理若しくは改良に応用することができる。本発明の幾つかの実施形態においては、本発明の一定の特徴が、他の特徴の対応する使用なしに、有利に使用されることがある。従って、本発明の教示に基づいて当業者に明らかであろうその他の代替的な実施形態があり、それらは本発明の請求項及び均等の範囲に含まれることが意図される。
【図面の簡単な説明】
【００２２】
【図１】米国の石炭に関して、石炭の水銀含量と水銀種形の関係を示すグラフである。
【図２】煙道ガスからの水銀除去を向上させるための臭素添加を含む本発明の第一の実施形態を表す概略図である。
【図３】石炭燃焼中に生成した全ガス状水銀に対する、本発明による特定のハロゲンである臭化カルシウム（ＣａＢｒ2）の添加効果を示す試験データのグラフである。
【図４】ＳＤＡ及び繊維フィルター（ＦＦ）や静電集塵機（ＥＳＰ）のような下流の集塵手段を備えたボイラを有する石炭火力発電所の機器構成の概略図である。
【図５】繊維フィルター（ＦＦ）や静電集塵機（ＥＳＰ）のような下流の集塵手段を備えたボイラを有する石炭火力発電所の機器構成の概略図である。
【図６】繊維フィルター（ＦＦ）や静電集塵機（ＥＳＰ）のような下流の集塵手段及び煙道ガス湿式脱硫（ＦＧＤ）システムを備えたボイラを有する石炭火力発電所の機器構成の概略図である。
【符号の説明】
【００２３】
１０    臭素含有試薬
１２    ボイラ
１４    ボイラ炉
１６    石炭
１８    対流パス
２０    燃焼空気予加熱器
２２    湿式ＦＧＤ
２６    集塵機
２８    石炭微粉砕機
３０    粉末石炭運搬システム
３２    選択的触媒還元（ＳＣＲ）システム
【図１】
2007530256.tif 000003
【図２】
2007530256.tif 000004
【図３】
2007530256.tif 000005
【図４】
2007530256.tif 000006
【図５】
2007530256.tif 000007
【図６】
2007530256.tif 000008
【国際調査報告】
2007530256.tif 000009